(57)【要約】【課題】  複数のファイルに関する情報の一覧表示性を維持しつつ、同時に所望のファイルの内容を出力することのできるファイル情報出力装置およびファイル情報出力プログラムを提供する。【解決手段】  同一画面において、複数ファイルそれぞれに対応するファイル名データ１２とサイズデータ１４の概要情報の一覧表示をさせておき、表示された一覧上のマウスカーソルなどで指定された任意位置に内容表示ウィンドウ６１を表示する。そして、指定された任意位置の近傍で表示されている概要情報に対応のファイルの画像データに基づくサムネイル画像７２を該内容表示ウィンドウ６１内に表示する。【選択図】        図５
2006164005.tif 000002
【特許請求の範囲】
【請求項１】
１つ以上のファイルそれぞれに対応するファイル情報を表示するファイルリスト表示手段と、
前記ファイルリスト上の任意の位置を指定する操作を入力する位置指定入力部と、
前記位置指定入力部が入力した操作により指定される位置にウィンドウを表示するウィンドウ表示手段と、を備えて、
前記ウィンドウ表示手段は、
前記ウィンドウ内に、前記任意の位置の近傍において表示される前記ファイル情報に対応する前記ファイルの詳細情報を表示する詳細表示手段を有する、ファイル情報出力装置。
【請求項２】
前記ウィンドウのサイズを、外部操作に応じて変更するサイズ変更手段をさらに備えて、
前記詳細表示手段は、前記サイズ変更手段による前記ウィンドウのサイズの変更に従い前記詳細情報の表示サイズを変更することを特徴とする、請求項１に記載のファイル情報出力装置。
【請求項３】
前記ウィンドウのサイズを、外部操作に応じて変更するサイズ変更手段をさらに備えて、
前記詳細表示手段は、前記サイズ変更手段による前記ウィンドウのサイズの変更に従い表示される前記詳細情報の種類または数を変更することを特徴とする、請求項１に記載のファイル情報出力装置。
【請求項４】
前記詳細表示手段は、
前記任意の位置の近傍において表示される１または２以上の前記ファイル情報それぞれに対応する前記ファイルの詳細情報を表示することを特徴とする、請求項１に記載のファイル情報出力装置。
【請求項５】
前記１つ以上のファイルには静止画データを格納した静止画ファイルが含まれて、
前記任意の位置の近傍において表示される前記ファイル情報に対応する前記ファイルが前記静止画ファイルの場合には、前記詳細情報には当該静止画ファイルの前記静止画データに基づく縮小画像が含まれる、請求項１に記載のファイル情報出力装置。
【請求項６】
前記１つ以上のファイルには動画データを格納した動画ファイルが含まれて、
前記任意の位置の近傍において表示される前記ファイル情報に対応する前記ファイルが前記動画ファイルの場合には、前記詳細情報には当該動画ファイルの前記動画データに基づく縮小画像が含まれる、請求項１に記載のファイル情報出力装置。
【請求項７】
再生位置表示手段をさらに備えて、
前記再生位置表示手段によって、前記詳細表示手段において表示される前記動画データに基づく縮小画像の前記動画ファイルにおける再生位置を表示する、請求項６に記載のファイル情報出力装置。
【請求項８】
音声出力手段をさらに備えて、
前記１つ以上のファイルには音楽データを格納した音楽ファイルが含まれて、
前記任意の位置の近傍において表示される前記ファイル情報に対応する前記ファイルが前記音楽ファイルの場合には、当該音楽ファイルの前記音楽データの一部に基づく音声を、前記音声出力手段を介して出力する、請求項１に記載のファイル情報出力装置。
【請求項９】
情報機器にファイル情報出力方法を実行させるためのプログラムであって、
前記ファイル情報出力方法は、
記憶部に記憶された１つ以上のファイルそれぞれに対応するファイル情報を、画面に表示するファイルリスト表示ステップと、
前記ファイルリスト表示ステップにより表示された前記画面の前記ファイルリスト上の任意の位置を指定する操作を入力する位置指定入力ステップと、
前記位置指定入力ステップにより入力された操作により指定される位置にウィンドウを表示するウィンドウ表示ステップと、を備えて、
前記ウィンドウ表示ステップは、
前記ウィンドウ内に、前記任意の位置の近傍において表示される前記ファイル情報に対応する前記ファイルの詳細情報を表示する詳細表示ステップを有する、ファイル情報出力プログラム。
【発明の詳細な説明】
【技術分野】
【０００１】
この発明は、ファイル情報出力装置およびファイル情報出力プログラムに関し、特に、大まかなファイル情報の一覧表示と一覧の中から選択されたファイル情報の詳細出力を並行して行なうことのできるファイル情報出力装置およびファイル情報出力プログラムに関する。
【背景技術】
【０００２】
画像や音声を電子データとして記録する電子カメラや、音楽のデータを記録し、または再生する携帯可能な装置が普及している。
【０００３】
電子カメラに記録された画像データの名称を一覧表示するには、たとえば、電子カメラをコンピュータに接続して、コンピュータにより電子カメラのメモリをアクセスして、各画像データのファイル名称を検索しコンピュータの画面にて一覧表示する。
【０００４】
しかしながら、画像データのファイルの名称の一覧表示だけでは、どのような画像であるか具体的にはわからないので、各画像データについての縮小画像であるサムネイル画像を一覧表示する機能も提供されている。たとえば、特許文献１には、画像データファイルの名称などをリスト（一覧）表示する形式と、サムネイル画像を一覧表示する形式とのいずれも実行可能であって、これら形式を任意に切換えることができる機能が記載されている。
【０００５】
また、従来は図１２に示すように、同一画面においてファイルのタイトルなどの一覧を表示する右側の領域と一覧から選択したファイルの内容（たとえば、サムネイル画像）を表示する左側の領域とを設けるものがあった。
【０００６】
また、図１３に示されるようにファイルのタイトル一覧の表示画面において、一覧からカーソルで選択したファイルに関連の情報をカーソルの位置の近傍に表示する機能も提供されている。表示される関連情報には、データサイズ、ファイルの記憶場所を示すデータなどが含まれているけれども、選択したファイルの内容が具体的に何であるかを、ユーザが一目で判別できるような、たとえばサムネイル画像などは表示されない。
【０００７】
以上は、画像データファイルの一覧について述べたが、記録された複数の音楽データファイルについて一覧表示することもできる。たとえば、音楽データファイルの名称（楽曲のタイトル、アーティスト名など）を一覧表示することもできる。この場合は、一覧からユーザがカーソルなどを用いて所望のファイルを指定すると、音楽データ再生専用のプレーヤー（ソフトウェア）が起動して、音楽ファイルのデータに従う音声の再生出力ができる。
【特許文献１】特開平１０−１６１８３７号公報
【発明の開示】
【発明が解決しようとする課題】
【０００８】
特許文献１に記載の機能によるサムネイル画像の一覧表示画面では、画面の表示領域の制限から、画面全体におけるサムネイル画像の表示個数が少なくなってしまうので、一覧性は低くなる。
【０００９】
また、図１２に示す機能では、データの内容であるサムネイル画像の画面左側の表示エリアが必要となるために、同一画面の右側におけるファイル名の一覧表示のためのエリアが狭くなっている。また、左側の表示エリアの大きさを変えることはできないので、表示するデータ内容によっては、画面左側において無駄なスペースができたり、逆に小さくてよく見えなかったりする。
【００１０】
また、画面左側に表示される内容は、選択した１個のファイルの内容であるから、画面左側においては複数ファイルについての内容を一度に表示することができない。
【００１１】
また、図１３の方法では、ファイル一覧から選択したファイルが画像ファイルであっても、データサイズや記憶場所の情報は表示するけれども具体的な内容、たとえばサムネイル画像は表示しない。したがって、ユーザがもっと具体的な内容（たとえばサムネイル画像）を得たいとする場合には、専用の画像ビューアアプリケーションを起動する必要があり、煩わしい。
【００１２】
また、音楽データファイルについても、ファイル一覧から選択した音楽データファイルについては、その関連情報（アーティスト名、アルバム名など）は表示されるけれども、それだけでは具体的な内容（音楽の出力）は得られない。
【００１３】
そのため、もっとその内容を知りたいとする場合には、別途、専用のミュージックプレーヤを起動して再生出力モードに移行しなければならない。そのため、音楽データファイルの具体的内容を知るまでに時間がかかり、また再生出力を停止させるにはミュージックプレーヤのＧＵＩ（Graphical User Interface）を操作する必要があり、煩わしい。
【００１４】
また、音楽出力は常に音楽データファイルの先頭データからの再生となるので、再生を始めてから曲の特徴部分（いわゆる‘さび’の部分）になるまでは、ファイルの内容を正確に確認することができなくて、ユーザは所望する音楽ファイルであるか否かの確認に時間がかかる。
【００１５】
それゆえに、この発明の目的は、ファイルに関する情報の一覧表示性を維持しつつ、同時に所望のファイルの内容を出力することのできるファイル情報出力装置およびファイル情報出力プログラムを提供することである。
【課題を解決するための手段】
【００１６】
この発明は、１つ以上のファイルそれぞれに対応するファイル情報をリスト表示をさせておき、表示されたリスト上の指定された任意位置にウィンドウを表示して、指定任意位置の近傍で表示されているファイル情報に対応するファイルの詳細情報を該ウィンドウ内に表示する。
【発明の効果】
【００１７】
発明によれば、ファイルに関する情報の一覧表示性を維持しつつ、同時に所望のファイルの内容を一覧に重畳表示されるウインドウにて出力することができる。
【発明を実施するための最良の形態】
【００１８】
以下、この発明の各実施の形態について図面を参照し説明する。
【００１９】
（実施の形態１）
図１を参照して、各実施の形態に係るファイル情報出力装置１は、外部の表示部２、入力座標検知部３、拡大縮小操作部４、ファイル記憶部５、プログラム記憶部６、音声Ｉ／Ｆ（インターフェイスの略）３０および通信Ｉ／Ｆ３２を接続する。
【００２０】
表示部２はＬＣＤ（Liquid Crystal Display）などの画面からなる。入力座標検知部３は、表示部２の表示画面上のカーソルを移動させるためのマウスやペンなどのポインティングデバイスであり、机上でのマウスの移動方向または移動距離のデータはファイル情報出力装置１に入力される。拡大縮小操作部４は、後述の内容表示ウィンドウ６１を拡大したり縮小したりするために外部から操作されて、たとえばキーボード上のシフトキーなどで兼用される。
【００２１】
プログラム記憶部６には、各種のプログラムおよびデータが格納される。音声Ｉ／Ｆ３０は、与えられる音声データを、アナログ音声信号に変換して、音声出力部３１に出力する。音声出力部３１はスピーカなどからなり、与えられる音声信号に従う音声を出力する。ファイル記憶部５には、複数個のデータファイルの情報が格納される。なお、ファイル記憶部５は、ファイル情報出力装置１に電子カメラ（デジタルカメラ）などの外部装置が接続されて、接続先の装置のファイル記憶部であってもよい。
【００２２】
通信Ｉ／Ｆ３２は、ファイル情報出力装置１とインターネットなどの外部の各種通信回線３３とを接続するための機能を有する。
【００２３】
ファイル情報出力装置１は、制御部であるＣＰＵ７（Central Processing Unit）と、ＣＰＵ７により実行される各種機能を有する機能部８を備える。機能部８は、ファイル一覧作成部１７、スライドバー作成部１９を有する内容表示ウィンドウ作成部１８、静止画取得部２０、縮小動画取得部２１および音楽データ取得部２２を備える。
【００２４】
機能部８中のこれら各部は、プログラムとして実現される。ＣＰＵ７が各部のプログラムを実行することにより、各部の機能が実現される。これらプログラムは、通常はプログラム記憶部６に格納されているが、ファイル一覧表示をする場合には、ＣＰＵ７によりプログラム記憶部６から読出されて所定のメモリ（図示せず）上に展開される。各部の機能については後述する。
【００２５】
図２を参照して、図１のファイル記憶部５は、記憶領域Ｅ１、Ｅ２およびＥ３を有する。
【００２６】
記憶領域Ｅ３には１つまたは複数の静止画ファイル５４、１つまたは複数の動画ファイル５５および１つまたは複数の音楽ファイル５６が格納される。ここでは、格納されるファイルの種類は静止画、動画および音楽の３つとしているが、このうちの１種類または２種類のファイルが格納されるとしてもよい。また、ファイルの種類はこの３種類に限定されず、他の種類、たとえばテキストファイルなどが格納されていてもよい。
【００２７】
記憶領域Ｅ１には、記憶領域Ｅ３に格納されている静止画ファイル５４のそれぞれに対応して静止画ファイル管理情報５０、動画ファイル５５のそれぞれに対応して動画ファイル管理情報５１、および音楽ファイル５６のそれぞれに対応して音楽ファイル管理情報５２が格納される。
【００２８】
記憶領域Ｅ２は記憶領域Ｅ３に格納された静止画ファイル５４、動画ファイル５５および音楽ファイル５６についてのメモランダムを示すメモデータ５３を格納するための領域である。メモは、ユーザの覚書のデータであり、たとえば静止画や動画であれば撮影時や記録時のコメントなどである。
【００２９】
静止画ファイル管理情報５０は、対応の静止画ファイル５４について、ファイル種別（“静止画”）を示すファイル種別データ１１、ファイル名を示すファイル名データ１２、ファイルの作成日（記録日、または更新日であって時間の要素を含んでもよい）を示す作成日データ１３、そのファイルのデータサイズを示すサイズデータ１４、静止画ファイル５４の記憶領域Ｅ３における先頭のアドレスを示す先頭アドレスデータ１５および対応のメモデータ５３の記憶領域Ｅ２におけるアドレスを示すメモのアドレスデータ１６を含む。
【００３０】
動画ファイル管理情報５１は、対応の動画ファイル５５について、ファイル種別データ１１、ファイル名データ１２、作成日データ１３、サイズデータ１４、先頭アドレスデータ１５、メモのアドレスデータ１６および時間データ１７を含む。ファイル種別データ１１〜メモのアドレスデータ１６は、静止画ファイル管理情報５０のそれと同じである。時間データ１７は、対応の動画ファイル５５に格納された動画データを再生した場合の再生開始をしてから終了するまでの時間の長さを示す。
【００３１】
音楽ファイル管理情報５２は、対応の音楽ファイル５６について、ファイル種別データ１１、ファイル名データ１２、作成日データ１３、サイズデータ１４、先頭アドレスデータ１５、時間データ１７およびアーティスト名・アルバム名データ１８を含む。ファイル種別データ１１〜先頭アドレスデータ１５は静止画ファイル管理情報５０のそれと同じである。時間データ１７は対応の音楽ファイル５６に格納された音楽データを音声出力部３１などを介して再生出力した場合の再生開始をしてから終了するまでの時間の長さを示す。アーティスト名・アルバム名データ１８は、対応の音楽ファイル５６に格納された楽曲のアーティスト名やアルバム名を示す。
【００３２】
音楽ファイル管理情報５２は、メモのアドレスデータ１６を含んでいないが、対応のメモデータ５３を記憶領域Ｅ２に準備して、メモのアドレスデータ１６を含むようにしてもよい。
【００３３】
図３のフローチャートに従い、ファイル情報出力装置１の動作を説明する。図３のフローチャートは予めプログラムとしてプログラム記憶部６に格納されており、ファイル記憶部５に格納されたファイル情報の一覧表示が要求された場合には、ＣＰＵ７によりプログラム記憶部６から読出されて起動される。このとき、図１の機能部８の各部の機能を実現するためのプログラムもプログラム記憶部６から読出されて所定のメモリ上に展開されて実行可能な状態となる。
【００３４】
ファイル情報出力装置１のＣＰＵ７は、ファイル一覧作成部１７を用いて、ファイル一覧を表示部２に表示する（ステップＳ（以下、単にＳと略す）３）。つまり、ファイル一覧作成部１７は、ファイル記憶部５の記憶領域Ｅ１の静止画ファイル管理情報５０、動画ファイル管理情報５１および音楽ファイル管理情報５２のそれぞれからファイル名データ１２およびサイズデータ１４を読出して、読出したデータに基づきファイル一覧のデータを作成する。作成されたファイル一覧のデータはＣＰＵ７に与えられるので、ＣＰＵ７は与えられたファイル一覧のデータを表示部２に出力する。このときの表示例がたとえば図４（Ａ）に示される。このようにファイル一覧により、１つ以上のファイルデータそれぞれに対応するファイル情報（当該ファイルデータの概要を示す情報）がリスト表示される。
【００３５】
次に、ＣＰＵ７は、ユーザにより入力座標検知部３が移動操作されたか否か、すなわち入力座標検知部３から所定の移動方向および移動距離のデータを入力するか否かを検知する（Ｓ５）。検知結果、データ入力して移動したことが判定されるまでは（Ｓ６でＮＯとなる間は）、Ｓ５の処理を繰返すが、移動したと判定すると（Ｓ６でＹＥＳ）、内容表示ウィンドウ作成部１８を起動する。内容表示ウィンドウ作成部１８は、入力座標検知部３から入力した移動方向と移動距離のデータに基づき、表示部２の画面上のカーソル（マウスカーソルなど）の現在位置を特定し、画面上に一覧表示している各ファイルの情報のうち、カーソルの現在位置の近傍位置で表示されるファイルを特定し、特定したファイルのファイル種別データ１１を特定する（Ｓ７）。
【００３６】
なお、本手順では、Ｓ６で移動したと判定されるまではＳ５とＳ６からなるループ処理が繰返されるとしているが、他の処理要求（ファイル一覧表示処理の終了要求を含む）など何らかの割込みがあった場合には、該ループ処理は抜けて、要求された他の処理に移行するものと想定する。
【００３７】
ファイル一覧作成部１７はファイル一覧表示のデータを作成するとき、記憶領域Ｅ１の各ファイルのファイル管理情報と表示部２における該ファイル管理情報の一覧表示中の表示位置との対応づけの情報を生成しているので、内容表示ウィンドウ作成部１８は、この対応づけ情報に基づくことで、現在のカーソル位置の近傍で表示されているファイルのファイル管理情報を特定することができる。ここでは、カーソル位置に最も近接した位置で表示のファイルのファイル管理情報を特定している。
【００３８】
ＣＰＵ７は、内容表示ウィンドウ作成部１８が特定したファイル管理情報中のファイル種別データ１１をファイル記憶部５から読出して、読出したファイル種別データ１１が“静止画”を示せば静止画取得部２０を起動してＳ９の処理へ、“動画”を示せば縮小動画取得部２１を起動してＳ１１の処理へ、“音楽”を示していれば音楽データ取得部２２を起動してＳ１３の処理へ移行するよう制御する。
【００３９】
Ｓ９の処理においては、静止画取得部２０は、Ｓ７で特定した静止画ファイル管理情報５０中の先頭アドレスデータ１５を読出して、読出した先頭アドレスデータ１５に基づき記憶領域Ｅ３をアクセスして、対応の静止画ファイル５４を読出す。そして、読出した静止画ファイル５４のデータを用いてサムネイル画像を作成する。
【００４０】
Ｓ１１の処理において縮小動画取得部２１は、Ｓ７で特定した動画ファイル管理情報５１中の先頭アドレスデータ１５を読出し、読出した先頭アドレスデータ１５に基づいて記憶領域Ｅ３をアクセスして、対応の動画ファイル５５を読出す。そして、読出した動画ファイル５５中のある時刻に対応の１枚の画像データ（静止画）を切出し処理して、縮小画像（サムネイル画像）を作成する。
【００４１】
Ｓ１３の処理において、音楽データ取得部２２は、Ｓ７で特定した音楽ファイル管理情報５２中の先頭アドレスデータ１５を読出し、読出した先頭アドレスデータ１５に基づいて記憶領域Ｅ３をアクセスし、対応の音楽ファイル５６を読出す。そして、読出した音楽ファイル５６のデータを音声Ｉ／Ｆ３０を介して、音声出力部３１から出力させる。ここで、音楽データ取得部２２が出力する音楽データは、対応の音楽ファイル５６の一部のデータであり、たとえば音楽ファイル５６の先頭から所定容量分のデータだけである。これにより、該音楽ファイル５６の楽曲のイントロが音声出力される。または、楽曲の‘さび’の部分データが読出されて再生出力される。‘さび’の部分は、楽曲データの音量が最大となる部分というような特徴量が変化するとの条件に基づいて特定することができる。‘さび’の部分が再生出力されることで、容易に当該音楽データファイルの楽曲の内容を直感的に把握できる。
【００４２】
また、Ｓ１３では、対応の音楽ファイル管理情報５２から、アーティスト名、アルバム名データ１８が読出されて出力される。
【００４３】
その後、Ｓ１５において、内容表示ウィンドウ作成部１８は、Ｓ９またはＳ１１またはＳ１３の処理で出力されたデータを入力して、入力したデータに基づき内容表示ウィンドウ６１の画像データを生成してＣＰＵ７に出力する。ＣＰＵ７は内容表示ウィンドウ６１の画像データを入力して、表示部２に与えるので、表示部２の画面には該画像データに基づく内容表示ウィンドウ６１の画像が表示される。このときの表示例が図４（Ｂ）に示される。
【００４４】
図４（Ｂ）の内容表示ウィンドウ６１は、矢印ＡＲで指示されるファイル“静止画ファイル７”が入力座標検知部３の移動によりマウスカーソルで指定された状態での表示例を示している。
【００４５】
内容表示ウィンドウ作成部１８は、吹出しマークの内容表示ウィンドウ６１を、“静止画ファイル７”を指示する画面上のマウスカーソルに代替して、ポップアップ表示するようなデータを作成している。吹出しマークの先端は“静止画ファイル７”を指しているので、ユーザは内容表示ウィンドウ６１を見ることで速やかに“静止画ファイル７”についての内容表示ウィンドウ６１が表示されていることを確認できる。
【００４６】
内容表示ウィンドウ６１内には、ステップＳ９で“静止画ファイル７”について静止画取得部２０が生成したサムネイル画像のデータに基づくサムネイル画像７２が表示されている。また、ユーザに対して“静止画ファイル７”についての情報であることを示すために、併せて対応のファイル名データ１２によるファイル名も表示されている。
【００４７】
このように内容表示ウィンドウ６１内においてファイルの詳細内容を表示して、他の部分は概要の一覧表示であるから、画面が小さくても同一画面において概要の一覧と所望ファイルの詳細情報とを同時に表示することができる。また、内容表示ウィンドウ６１は入力座標検知部３のを操作することで自由に移動させることができるから、画面のレイアウトに無駄な固定領域が生じない。
【００４８】
また、写真データなどの画像データファイルが多く記憶されている場合でも、全ての画像データファイルの概要の一覧をしながら、専用のビューアアプリケーションを起動せずとも所望のファイルの画像はサムネイル画像として内容表示ウィンドウ内で確認できる。
【００４９】
図５は、図４（Ａ）とは異なるファイル一覧の画面が表示される場合に、Ｓ１１で縮小動画取得部２１によりサムネイル画像データが生成された場合の内容表示ウィンドウ６１の表示例を示している。内容表示ウィンドウ作成部１８は、吹出しマークの内容表示ウィンドウ６１を、図５の矢印ＡＲで指示される“動画ファイル３”を指示したマウスカーソルに代替して、ポップアップ表示する画像データを作成する。この吹出しマークの先端は、スライドバー８０上のカーソル８１を指示している。図５の内容表示ウィンドウ６１内には、Ｓ１１で縮小動画取得部２１が“動画ファイル３”について生成したサムネイル画像データに基づくサムネイル画像７２が表示されている。また、ユーザに“動画ファイル３”についての情報であることを示すために併せて対応のファイル名データ１２によるファイル名も表示されている。
【００５０】
ここでは、図５の矢印ＡＲで指示されているファイル一覧中の“動画ファイル３”のファイル名称の近傍に、スライドバー作成部１９により作成された画像データによるスライドバー８０とカーソル８１が表示される。カーソル８１はスライドバー８０上を自在に移動可能な態様で表示される。スライドバー８０上のカーソル８１は、入力座標検知部３を操作することによる移動方向および移動量に連動して移動する。移動方向および移動量のデータはＣＰＵ７からスライドバー作成部１９に与えられるので、スライドバー作成部１９は与えられるデータに基づき、その上のカーソル８１が移動した状態のスライドバー８０の画像データを生成する。生成した画像データはＣＰＵ７を経由して表示部２に出力されるので、表示部２には入力座標検知部３の操作に連動して移動しているようにカーソル８１が表示される。
【００５１】
スライドバー作成部１９により作成されたスライドバー８０とカーソル８１が表示部２に表示されると、内容表示ウィンドウ作成部１８は内容表示ウィンドウ６１の吹出しの先端をカーソル８１の位置まで移動させる（図５参照）。
【００５２】
このようにして、スライドバー８０上のカーソル８１の移動が終了し、スライドバー８０におけるカーソル８１の位置が決定すると、その位置データをＣＰＵ７が読込み、縮小動画取得部２１に与える。縮小動画取得部２１は与えられる位置データに基づき、該動画ファイルのファイル管理情報５１で示される時間データ１７が示す時間期間における相対的な時刻を決定する。具体的には、スケールバー８０の長さは既知であるから、スケールバー８０の長さを時間データ１７が示す時間期間に対応させることで、カーソル８１の位置に対応の時刻を決定することができる。
【００５３】
そして、当該動画ファイル５５における、決定した時刻に対応のアドレスを、対応の動画ファイル管理情報５１の先頭アドレスデータ１５に基づき計算し、計算したアドレスに基づき該動画ファイル５５から対応の１枚の画像のデータを読出し、読出した画像データに基づきサムネイル画像を作成して、内容表示ウィンドウ作成部１８に与える。これにより、図５の内容表示ウィンドウ６１内にはスライドバー８０のカーソル８１が示す時刻のサムネイル画像７２が表示される。
【００５４】
また、カーソル８１に位置させた入力座標検知部３を介して所定操作すると、たとえばマウスのダブルクリック操作をすると、ＣＰＵ７はプログラム記憶部６の動画再生アプリケーションを起動させて、カーソル８１が示す時刻の画像から動画の再生が開始される。
【００５５】
サムネイル画像７２が表示される例を示したが、代わりに縮小動画を表示してもよい。そのとき、カーソル８１は動画再生の位置を表し、動画再生に伴い、移動する。
【００５６】
また、Ｓ１３で音楽データ取得部２２が起動された場合には、図６の画面のようにアーティスト名・アルバム名データ１８が内容表示ウィンドウ６１内に表示される。図６の矢印ＡＲで示す“音楽ファイル７”が入力座標検知部３で選択されたので、この音楽ファイル５６についてのアーティスト名・アルバム名データ１８が読出されて表示されている。
【００５７】
そして、音楽ファイル７を入力座標検知部３で指定した状態のまま所定時間経過すると、上述したように‘音楽ファイル７’の音楽ファイル５６の音楽データの一部が、音楽再生専用のアプリケーションを起動しなくとも音声出力部３１を介して再生出力される。その後、入力座標検知部３を動かすと（カーソル８１が動くと）、再生は停止する。
【００５８】
したがって、ユーザは、指定した‘音楽ファイル７’の一部の楽曲を聴きながら、その楽曲のアーティスト名、アルバム名を確認することができる。
【００５９】
図４〜図６に示したように、ファイル情報出力装置１によれば、複数のデータファイルに関する概要情報の一覧表示と、一覧から選択した所望のファイルの詳細情報を示す内容表示ウィンドウの表示とを同時にできる。さらに内容表示ウィンドウは一覧上に重畳して表示されるから、ファイル情報の一覧性を維持しつつ、所望するファイルの詳細内容を確認できる。
【００６０】
また、内容表示ウィンドウは重畳表示であるから、内容表示ウィンドウの表示領域をファイル一覧表示領域とは別個に確保する必要はなく、表示部２の画面が小さくても情報の一覧性を維持しつつ、所望するファイルの詳細内容を確認できる。
【００６１】
また、動画ファイル５５の内容表示ウィンドウ６１では、スケールバー８０上でのカーソル８１の移動操作に連動してサムネイル画像が連続再生されるので、専用の動画ビューアアプリケーションを起動せずとも、動画を確認できる。
【００６２】
内容表示ウィンドウは、表示する内容に応じて自動的に大きさが調節されてよい。例えば、音楽ファイルの場合、図６に示されるように比較的小さい内容表示ウィンドウで十分なことがある。
【００６３】
内容表示ウィンドウは、特定のボタンを押すことなどで、閉じることができる。
【００６４】
（実施の形態２）
上述では、内容表示ウィンドウは吹出しの形状であったが、図７のようにルーペ形状にしてもよい。ルーペ形状の内容表示ウィンドウ６３は部分６４を有する。ユーザは入力座標検知部３を操作して図示されないマウスカーソルを部分６４に位置させてドラッグすることで内容表示ウィンドウ６３を移動させることができる。
【００６５】
また、マウスカーソルを部分６４に位置させた状態で拡大縮小操作部４を操作することにより、拡大縮小操作部４の操作に連動したサムネイル画像７２の拡大または縮小された画像データは、静止画取得部２０または縮小動画取得部２１により生成される。生成された画像データは、内容表示ウィンドウ６３内にサムネイル画像７２として表示される。したがって、内容表示ウィンドウ６３を介してサムネイル画像７２を、虫眼鏡を用いて拡大または縮小しているかのような態様で表示することができる。
【００６６】
内容表示ウィンドウ６３を拡大縮小させる方法として、マウスカーソルで部分６４を指示する時間に応じて、拡大させてもよい。所定時間を越えると、縮小に変化する。
【００６７】
図７では、内容表示ウィンドウ６３内のサムネイル画像７２は、ファイル一覧における内容表示ウィンドウ６３の近傍に表示されるファイル名のファイルデータに基づく画像である。内容表示ウィンドウ６３には確認的にそのファイル名データ１２に基づく“静止画ファイル５”との表示がなされている。また、ファイル一覧において、内容表示ウィンドウ６３内のサムネイル画像７２に対応のファイルのファイル名“静止画ファイル５”は符号６５で示されるように反転表示などされて、ユーザに対して、内容表示ウィンドウ６３で詳細内容が出力されているファイルがいずれであるかを報知している。
【００６８】
ここでは、ファイル一覧において、内容表示ウィンドウ６３で詳細内容が現在、表示されているファイル名のみを反転表示などの強調表示をするようにしたが、それまでに内容表示ウィンドウで既に詳細内容が表示されたファイルのファイル名も、所定の態様（文字の色を変更するなど）で表示するようにしてもよい。
【００６９】
このように図７によれば、内容表示ウィンドウ６３はユーザの操作によりサイズを拡大または縮小できるから、ファイル毎にユーザが所望するサイズで詳細情報を表示させることができて、視認性に優れる。また内容表示ウィンドウ６３はルーペ形状であるから、ユーザは虫眼鏡を操作する感覚で内容表示ウィンドウの拡大・縮小の操作ができて操作性に優れる。
【００７０】
（実施の形態３）
図８には内容表示ウィンドウの他の表示例が示される。図８の左側においては内容表示ウィンドウ６１内にサムネイル画像７２とファイル名データ１２が表示されている。この状態でユーザが入力座標検知部３で表示部２上のマウスカーソルの位置を指示しながら拡大縮小操作部４を操作すると、図８の左側の内容表示ウィンドウ６１は、右側の内容表示ウィンドウ６１１に示されるように拡大したり、または同様の操作で内容表示ウィンドウ６１１から内容表示ウィンドウ６１へと縮小する。このときは、内容表示ウィンドウ６１内のファイル名データ１２およびサムネイル画像７２も拡大したファイル名データ１２１およびサムネイル画像７２１に変化し、逆にファイル名データ１２１およびサムネイル画像７２１は、縮小したファイル名データ１２およびサムネイル画像７２に変化する。
【００７１】
（実施の形態４）
図９には内容表示ウィンドウのさらに他の表示例が示される。図８では内容表示ウィンドウを拡大または縮小すると、それに合わせてその中に表示されるファイル名データおよびサムネイル画像も拡大または縮小するとしたが、図９では図８のそれと同様な操作で、内容表示ウィンドウの拡大または縮小に伴い、ウィンドウ内に表示する情報の種類数を変更することもできる。
【００７２】
具体的には、図９の右側の内容表示ウィンドウ６１２は、左側の内容表示ウィンドウ６１が拡大されたものである。内容表示ウィンドウ６１２は拡大された分だけ内容表示ウィンドウ６１よりも情報の表示スペースが拡大されている。拡大された表示スペースには、ファイル名データ１２の１つのみならず他に、例えばサイズデータ１４、作成日データ１３およびメモデータ５３が表示される。
【００７３】
ここでは、内容表示ウィンドウのサイズ変更に伴いウィンドウ内に表示されるファイル情報の種類（項目）を増減させているが、サイズ変更に伴い異なる種類のファイル情報が表示されるとしてもよい。
【００７４】
本実施の形態によれば、内容表示ウィンドウのサイズに合わせて所望ファイルについての様々な種類の詳細情報を表示できて、ファイルの具体的内容を把握し易い。
【００７５】
（実施の形態５）
図１０には内容表示ウィンドウのさらに他の表示例が示される。図１０の右側の内容表示ウィンドウ６１３は、左側の内容表示ウィンドウ６１が図８と同様の操作により拡大された状態を示している。前述の図９においては、内容表示ウィンドウを拡大したことにより生じた表示スペースにファイル名データ１２と他の種類のファイル情報を表示するようにしていたが、図１０の内容表示ウィンドウ６１３では、拡大で生じた表示スペースに、複数のデータファイルそれぞれのサムネイル画像７２を表示する。複数のデータファイルは、図１０の左側の拡大前の内容表示ウィンドウ６１のサムネイル画像７２のデータファイル“ファイル１”のファイル一覧において隣接している他のファイル（ファイル２、ファイル３およびファイル４）を指す。これにより、内容表示ウィンドウの大きさに合わせて、一覧においてマウスカーソルが位置するファイルと、それに隣り合う複数のファイルの詳細情報を同時に表示して、複数ファイルの詳細情報の一覧性を高めることができる。
【００７６】
ここでは、ファイル一覧において隣り合う複数のファイルとしているけれども、内容表示ウィンドウ６１３に内容表示される複数のファイルを任意に指定することもできる。ファイルの指定方法は、拡大縮小操作部４がシフトキーで兼用されている場合には、他の種類のキー（たとえば、図示のないファンクションキーやコントロールキーなど）を操作しながら、また拡大縮小操作部４がシフトキーで兼用されていない場合にはシフトキーなどを操作しながら、入力座標検知部３を操作して、ファイル一覧の中から所望の複数のファイルをクリックすることで指定できる。
【００７７】
また、他の種類のキー（たとえば、図示のないファンクションキーやコントロールキーなど）の操作で、内容表示ウィンドウを固定表示に切り替えて、ファイル一覧の中から所望のファイルをドラッグして、内容表示ウィンドウ内にドロップすることで、複数のファイルを指定することもできる。
【００７８】
上述の各実施の形態では、内容表示ウィンドウ内に表示されるサムネイル画像データはデータファイルが指定されるごとに生成されるとしたが、たとえば静止画ファイル５４毎に予め生成してファイル記憶部５に格納しておいてもよい。また、ファイル名が指定される毎に、該ファイル名のファイルのサムネイル画像と、一覧において該ファイル名に隣接して表示されている複数ファイル名のファイルについてのサムネイル画像を作成しておくようにしてもよい。このようにマウスカーソル付近のファイル情報を先読みすることで（サムネイル画像を作成することで）、入力座標検知部３（マウスカーソル）の移動操作に従う内容表示のレスポンスを高めることができる。
【００７９】
また、内容表示ウィンドウの大きさ、形、色はファイルの種別により変更するようにしてもよい。変更はユーザが任意に切替え操作して決定するようにしてもよい。たとえば、音楽ファイルは、静止画ファイルまたは動画ファイルとは異なり画像は表示されないから、その分、内容表示ウィンドウのサイズは小さくするようにしてもよい。
【００８０】
また、内容表示ウィンドウはファイル一覧に重畳表示されるから、その下の一覧情報（ファイル名、ファイルのサイズなど）は見えなくなるが、内容表示ウィンドウを半透明にして、その下の一覧情報が内容表示ウィンドウを介して見えるようにしてもよい。
【００８１】
（実施の形態６）
上述のファイル情報出力装置１は携帯型電話機、携帯型音楽プレーヤー、携帯型動画プレーヤー、パーソナルコンピュータやＰＤＡ（Portable Digital Assistant）などの情報処理端末、ゲーム機器などに搭載される。
【００８２】
図１１にはファイル情報出力装置１が搭載されたＰＤＡの外観が示される。ＰＤＡは入力座標検知部３と表示部２の機能を有するペン入力装置付き表示装置２Ａとペン３Ａ、および拡大縮小操作部４として兼用されるシフトキー４Ａを備える。ペン入力装置付き表示装置２Ａは表示一体型入力装置であり表示部２の画面上でペン３Ａを操作することで画面を介してデータを入力することができる。ここではシフトキー４Ａと拡大縮小操作部４のキーとを兼用しているけれども、拡大縮小操作部４のキーはシフトキー４Ａとは別個に設けるようにしてもよい。
【００８３】
（実施の形態７）
以上説明したファイル情報出力装置１の処理機能は、プログラムで実現される。このプログラムはコンピュータで読取可能な記録媒体に格納される。
【００８４】
本実施の形態では、この記録媒体として、ファイル情報出力装置１のＣＰＵ７がアクセスするプログラム記憶部６が示される。プログラム記憶部６は、例えばＲＯＭ（Read Only Memory）のようなそのものであってもよいし、また外部記憶装置としてＣＤ−ＲＯＭ装置などのプログラム読取装置が設けられ、そこに記憶媒体であるＣＤ−ＲＯＭが挿入されることで読取可能なプログラムメディアであってもよい。いずれの場合においても、格納されているプログラムはＣＰＵ７がアクセスして実行させる構成であってもよいし、あるいはいずれの場合もプログラムが一旦読出されて、読出されたプログラムは、図１の装置の所定のプログラム記憶エリアにロードされて、ＣＰＵ７により読出されて実行される方式であってもよい。このロード用のプログラムは、予め当該装置に格納されているものとする。
【００８５】
ここで、上述したプログラム記憶部６のプログラムメディアはファイル情報出力装置１の本体と分離可能に構成される記録媒体であり、磁気テープやカセットテープなどのテープ系、フレキシブルディスクやハードディスクなどの磁気ディスクやＣＤ−ＲＯＭ／ＭＯ（Magnetic  Optical  Disc）／ＭＤ（Mini  Disc）／ＤＶＤ（Digital  Versatile  Disc）などの光ディスクのディスク系、ＩＣカード（メモリカードを含む）／光カードなどのカード系、あるいはマスクＲＯＭ、ＥＰＲＯＭ（Erasable  and  Programmable  ＲＯＭ）、ＥＥＰＲＯＭ(Electrically  ＥＰＲＯＭ)、フラッシュＲＯＭなどによる半導体メモリを含めた固定的にプログラムを担持する媒体であってもよい。
【００８６】
また、本実施の形態においては、ファイル情報出力装置１はインターネットを含む各種通信回線３３と通信Ｉ／Ｆ３２を介して接続可能な構成が採用されているから、通信回線３３からプログラムがダウンロードされることで流動的にプログラムを担持する媒体であってもよい。なお、このように通信回線３３からプログラムがダウンロードされる場合には、ダウンロード用プログラムは予め当該ファイル情報出力装置１の本体に格納しておくか、あるいは別の記録媒体から予め当該ファイル情報出力装置１の本体にインストールされるものであってもよい。
【００８７】
なお記録媒体に格納されている内容としてはプログラムに限定されず、データであってもよい。
【００８８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８９】
【図１】この発明の各実施の形態に係るファイル情報出力装置のブロック図である。
【図２】図１のファイル記憶部の内容例を示す図である。
【図３】この発明の各実施の形態に係る処理フローチャートである。
【図４】（Ａ）と（Ｂ）は実施の形態１に係る表示の一例を説明する図である。
【図５】実施の形態１に係る表示の他の例を説明する図である。
【図６】実施の形態１に係る表示のさらなる他の例を説明する図である。
【図７】実施の形態２に係る表示例を説明する図である。
【図８】実施の形態３に係る表示例を説明する図である。
【図９】実施の形態４に係る表示例を説明する図である。
【図１０】実施の形態５に係る表示例を説明する図である。
【図１１】各実施の形態に係るファイル情報出力装置が搭載されたＰＤＡの外観図である。
【図１２】従来の一例を説明する図である。
【図１３】従来の他の例を説明する図である。
【符号の説明】
【００９０】
１  ファイル情報出力装置、３  入力座標検知部、４  拡大縮小操作部、１７  ファイル一覧作成部、１８  内容表示ウィンドウ作成部、１９  スライドバー作成部、２０  静止画取得部、２１  縮小動画取得部、２２  音楽データ取得部、５４  静止画ファイル、５５  動画ファイル、５６  音楽ファイル、５０  静止画ファイル管理情報、５１  動画ファイル管理情報、５２  音楽ファイル管理情報、１１  ファイル種別データ、１２  ファイル名データ、１３  作成日データ、６１  内容表示ウィンドウ、７２  サムネイル画像。
【図１】
2006164005.tif 000003
【図２】
2006164005.tif 000004
【図３】
2006164005.tif 000005
【図４】
2006164005.tif 000006
【図５】
2006164005.tif 000007
【図６】
2006164005.tif 000008
【図７】
2006164005.tif 000009
【図８】
2006164005.tif 000010
【図９】
2006164005.tif 000011
【図１０】
2006164005.tif 000012
【図１１】
2006164005.tif 000013
【図１２】
2006164005.tif 000014
【図１３】
2006164005.tif 000015